(57)【要約】 【構成】  ニットパンツの一方の脚の裾から筒状に編成を開始し、ニットパンツの股に到ると、股側の編目をマチ用に針に係止したまま編成せずに、Ｃ字状に編成し、次いで、脇側へ編幅を増すと共に、股側の編目を胴の左右他半部との接合用に針に係止したまま編成せずに、Ｃ字状に編成することにより、胴の左右半部を編成し、ニットパンツの胴の上部に到ると、Ｃ字状に編成することと、編成した編目を移動させて接合用に針に係止したままの編目に重ねることにより、胴の左右半部と接合しながら編幅を減らし、次いでＣ字状に編成しながら、給糸する針の数を増して、マチ用に針に係止したままの編目上にも編み目を形成することにより胴の左右半部との間にマチを形成して、股まで胴の左右他半部を編成し、股から他方の脚の裾まで筒状に編成する。【効果】  伸びやすくかつ長いマチを備えた、ニットパンツを編成できる。【選択図】     図１
2010156072.tif 000002
【特許請求の範囲】
【請求項１】
前後少なくとも一対の針床と、少なくとも１個の給糸口とを用い、
ニットパンツの一方の脚の裾から筒状に編成を開始し、
ニットパンツの股に到ると、股側の編目をマチ用に針に係止したまま編成せずに、Ｃ字状に編成し、次いで、脇側へ編幅を増すと共に、股側の編目を胴の左右他半部との接合用に針に係止したまま編成せずに、Ｃ字状に編成することにより、胴の左右半部を編成し、
ニットパンツの胴の上部に到ると、Ｃ字状に編成することと、編成した編目を移動させて接合用に針に係止したままの編目に重ねることにより、胴の左右半部と接合しながら編幅を減らし、次いでＣ字状に編成しながら、給糸する針の数を増して、マチ用に針に係止したままの編目上にも編み目を形成することにより胴の左右半部との間にマチを形成して、股まで胴の左右他半部を編成し、  
股から他方の脚の裾まで筒状に編成する、ニットパンツの編成方法。
【請求項２】
胴の左右半部の上部で熱収縮糸を用いて編成した後に、抜き糸を用いて編成し、さらに胴の左右他半部の上部で熱収縮糸を用いて編成することを特徴とする、請求項１のニットパンツの編成方法。
【請求項３】
ニットパンツの一方の脚の裾から胴の一方の半部へ向けてウェールが並ぶと共に、胴の他方の半部から他方の脚の裾へ向けてウェールが並び、
股から胴の前部中央と胴の後部中央とで、胴の左半部の編目と右半部の編目とが重ねられることにより、胴の左半部と右半部とが接合されると共に、股にマチが形成されている、ニットパンツ。
【発明の詳細な説明】
【技術分野】
【０００１】
この発明はニットパンツの編成に関する。
【背景技術】
【０００２】
特許文献１：JP3887408Bの図６は、ニットパンツの一対の脚を裾から胴へ向けて筒状に編成し、股で左右の筒を接合して胴となる１個の筒とし、胴の上部まで編成することを開示している。そして股でマチを形成するため、左右の筒の編目を互いに重ねて伏目する。マチでは、股の近い側の編目同士を重ねて、伏目により針から外し、この手順を股に近い側から遠い側の編目へと順次行うので、目移しと伏目とが必要である。このためマチがゴワゴワして伸びにくく、また目移しを行うのでマチの長さに限度がある。
【特許文献１】JP3887408B
【発明の開示】
【発明が解決しようとする課題】
【０００３】
この発明の課題は、伸びやすくかつ長いマチを備えた、ニットパンツを編成できるようにすることにある。
【課題を解決するための手段】
【０００４】
この発明のニットパンツの編成方法では、前後少なくとも一対の針床と、少なくとも１個の給糸口とを用い、
ニットパンツの一方の脚の裾から筒状に編成を開始し、
ニットパンツの股に到ると、股側の編目をマチ用に針に係止したまま編成せずに、Ｃ字状に編成し、次いで、脇側へ編幅を増すと共に、股側の編目を胴の左右他半部との接合用に針に係止したまま編成せずに、Ｃ字状に編成することにより、胴の左右半部を編成し、
ニットパンツの胴の上部に到ると、Ｃ字状に編成することと、編成した編目を移動させて接合用に針に係止したままの編目に重ねることにより、胴の左右半部と接合しながら編幅を減らし、次いでＣ字状に編成しながら、給糸する針の数を増して、マチ用に針に係止したままの編目上にも編み目を形成することにより胴の左右半部との間にマチを形成して、股まで胴の左右他半部を編成し、  
股から他方の脚の裾まで筒状に編成する。
【０００５】
この発明では、Ｃ字状に編成する間に、針に係止されたままで編成に用いられなかった編目に、編目を重ねることにより、胴の中央部の左右が接合され、またマチも形成される。このためマチの形成では目移しによる制約が無く、長いマチを容易に形成できる。またマチを形成する際に伏目の必要がないので、伸びやすいマチが得られる。
【０００６】
編目は、ニットによる編目以外に、タックによる編目（掛目）等を含むものとする。ニットパンツはズボンに限らず、一対の脚部と胴部とを備えた衣類を意味し、例えば下着や水着を含む。
【０００７】
好ましくは、胴の左右半部の上部で熱収縮糸を用いて編成した後に、抜き糸を用いて編成し、さらに胴の左右他半部の上部で熱収縮糸を用いて編成する。
このようにすると、抜き糸で、上下に重ねた半分ずつの胴を分離でき、熱収縮糸により胴の上部の開口部となる編目列の解れ止めができる。
【０００８】
この発明のニットパンツでは、一方の脚の裾から胴の一方の半部へ向けてウェールが並ぶと共に、胴の他方の半部から他方の脚の裾へ向けてウェールが並び、股から胴の前部中央と胴の後部中央とで、胴の左半部の編目と右半部の編目とが重ねられることにより、胴の左半部と右半部とが接合されると共に、股にマチが形成されている。
このニットパンツでは、伸びやすく長いマチを股に設けることができる。
【発明を実施するための最良の形態】
【０００９】
以下に本発明を実施するための最適実施例を示す。
【実施例】
【００１０】
図１〜図６に、実施例のニットパンツ２とその編成方法を示す。図１において、２０は編出しラインで、ニットパンツ２の一方の脚の裾にあり、図１の矢印方向に編成して、胴の左右半部の上端に到る。胴の左右半部の上端で熱収縮糸と抜き糸とを用いて編成し、また胴の左右の他半部の上端でも熱収縮糸を用いて編成する。そして胴の左右他半部の上部から他方の脚の裾へ向けて編成し、２２は編終りラインで、他方の脚の裾である。また１８は編成に用いる給糸口で、熱収縮糸や抜き糸に用いる給糸口を除くと、例えば１個の給糸口で編成できる。２４，２５は左右の脇で、２６は股の底部である。３４，３５はマチで、前部のマチ３４よりも後部のマチ３５が長く、３６，３７はマチ３４，３５の上部の接合ラインで、胴の左右半部を互いに接合する。
【００１１】
図２は、実施例のニットパンツの左右半分のパターンである。３０は内側パターンで、脇とは反対側のパターンであり、３１は外側パターンで、脇側のパターンである。３２は胴の内側前部、３３は胴の内側後部で、３４，３５はマチであり、後側のマチ３５は前側のマチ３４よりも長い。また３６，３７は左右の接合ライン、４０はパターンの上端である。そしてパターン３０，３１は、ライン４２，４２が互いに繋がり、ライン４３，４３も互いに繋がることにより、筒状になる。
【００１２】
外側パターン３１にはマチが無く、パターン３０，３１での３８は減らし部で、脚の周長を裾から上へ向けて徐々に増加するための減らし部である。また減らし部３９は胴の上部を絞るための減らし部である。パターン３０，３１を接続すると、図２の左側のようになり、ライン３６，３７とマチ３４，３５で図示しない他半部のパターンと接合される。
【００１３】
図３はニットパンツ２の編成方法の概要を示し、Ｓ１〜Ｓ６の各ステップでどの部分を編成するかを、図１に示している。またＢは後針床を、Ｆは前針床を示す。ステップ１で編出しライン２０から始めて、一方の脚を筒状に編成し、ステップ２の前半で、マチ３４，３５と接合ライン３６，３７を形成する編目を、掛目や置き目として股側の針に残すように、Ｃ字状に編成する。ステップ２の後半で、編目を脇側に徐々に移動させて増し目し、編み幅を増加させる。ステップ２の後半もＣ字状に編成し、マチの形成用の編み目と接合用の編み目は針に係止したままにする。ステップ２が終了した時点で、編目を係止している針の数は、図２でのパターンの上端４０と接合ライン３６，３７，及びマチ３４，３５の目数と等しい。
【００１４】
ステップ３では熱収縮糸と抜き糸とを用い、ニットパンツの胴の左右半部の上端を処理する。そしてステップ４で胴の左右の他半部を、熱収縮糸を用いて編成する。ステップ５は、胴の上部から股までのＣ字状編成で、ステップ５の前半で、図３の左から右へと編目を移動させて、ステップ２で形成した置き目や掛目に重ね、これによって接合ライン３６，３７を形成する。この間に、重ね目を形成することにより、編み幅は減少する。ステップ５の後半で、Ｃ字状編成で給糸する針の数を徐々に増して、マチ３４，３５用に残して置いた掛目や置き目上に編目を形成することにより、マチ３４，３５を形成する。そして他方の脚を編成するために、ステップ６で筒状編成を行う。
【００１５】
図４にニットパンツの編成の詳細を示し、図４の右側にはニットパンツのどの部分が編成されているかを示し、図４の(1)〜(12)のステップでどの位置を編成するかを、図１に書き込んである。編出しライン２０から、(1)で一方の脚部を筒状編成し、(2)で股の下端に達すると、Ｃ字状の編成に移り、(3)，(4)で股側の針には編目を形成せず、編目を形成しない置き目、あるいはタックによる掛目とし、マチ３４，３５を形成するための編目を用意する。(5)，(6)では、編成した編目を図４の左側へ移動させ、図の右側には置き目や掛目を針に残して、徐々に編み幅を増加させる。
【００１６】
図４の(7)で胴の上端までの編成を終えると、(8)では熱収縮糸を用いた編成と抜き糸を用いた編成、及び熱収縮糸を用いた編成を行う。次いでＣ字状に編成しながら、図４の左から右へと編目を移動させて、接合ライン３６，３７にある掛目や置き目と編目を重ねて接合する。重ね目を形成することにより徐々に編み幅を減らし、マチ３４，３５の部分に達すると、Ｃ字状に引き返し編みを行い、給糸する針の数を徐々に増すことにより、マチ３４，３５を形成する。マチ３４，３５の下端に達すると、他方の脚を筒状編成し、裾の編終りライン２２まで編成する。
【００１７】
以上のようにして、熱収縮糸や抜き糸に用いる給糸口以外は、例えば１個の給糸口でニットパンツを編成できるので、編成後の糸の末端の処理が簡単である。また胴の上部を、熱収縮糸、抜き糸、及び熱収縮糸の順に処理すると、解れ止めの準備が出来た状態で胴の上端を簡単に形成できる。しかしこれ以外に胴の上端を伏目し、あるいは単に胴の上端の編目を払うことなどでも編成できる。さらに胴の左半部と右半部とを特別の処理無しで編み続け、後工程でカットしても良い。
【００１８】
図５，図６に実施例で編成したニットパンツのサンプルを示す。なおこのサンプルでは、熱収縮糸による解れ止め等を施していない。ウェールの方向は丈方向で、パンツの左半部と右半部は、接合ライン３６，３７では、図３のステップ２で針に残した置き目や掛目上に、図３のステップ５で、編成した編目を移動させて重ねることで接合される。またマチ３４，３５は、Ｃ字状の編成で、給糸する針の数を徐々に増して、マチ形成用に残しておいた置き目や掛目上に新たな編み目を形成することで形成される。また図６に示すように、後半身７２のマチ３５は前半身７０のマチ３４よりも長い。さらに図３，図４から明らかなように、マチには目移しの距離などによる制限が無く、また伏目が不要なので、柔らかく伸縮性に富んでいる。
【００１９】
実施例では以下の効果が得られる。
(1)  伸びやすくかつ長く、さらに前後非対称なマチを容易に形成できる。
(2)  例えば１個の給糸口でも編成でき、糸の始末が容易になる。
(3)  胴の上部を熱収縮糸と抜き糸及び熱収縮糸で処理すると、胴の上部での分離が容易になり、また解れ止めが簡単にできる。
【図面の簡単な説明】
【００２０】
【図１】この発明でのニットパンツの編成方法を模式的に示す図
【図２】実施例でのニットパンツのパターンを示す図
【図３】実施例でのニットパンツの編成方法を示す図
【図４】実施例でのニットパンツの編成方法の詳細を示す図
【図５】実施例のニットパンツの写真で、正面を示す。
【図６】実施例のニットパンツの写真で、左右の脚の接合部を示す。
【符号の説明】
【００２１】
２          ニットパンツ
１８        給糸口
２０        編出しライン
２２        編終りライン
２４，２５  脇
２６        股の底部
３０        内側パターン
３１        外側パターン
３２        内側前部
３３        内側後部
３４，３５  マチ
３６，３７  接合ライン
３８，３９  減らし部
４０        上端
７０        前半身
７２        後半身
【図２】
2010156072.tif 000003
【図３】
2010156072.tif 000004
【図４】
2010156072.tif 000005
【図１】
2010156072.tif 000006
【図５】
2010156072.tif 000007
【図６】
2010156072.tif 000008